(57)【要約】【課題】特別遊技状態の終了によって減り始めた特別図柄の保留がその直後に再び増加する可能性を極力小さくする。【解決手段】普通図柄が当たり態様となった場合に、可変始動手段２１が開状態となる普通利益状態が発生し、その可変始動手段２１への遊技球の入球に基づく特別図柄の変動により第１特定態様となった場合に第１利益状態が発生し、その第１利益状態の終了後に所定の確率で特別遊技状態が発生すると共に特別図柄の変動回数が所定上限回数に達することを内容とする特定終了条件を含む一又は複数の特別遊技状態終了条件の何れかが満たされた場合にその特別遊技状態が終了し、特別遊技状態中は普通利益状態における可変始動手段２１の開放時間が長くなるように構成した遊技機で、特別図柄の変動によって特定終了条件が満たされる場合には、その図柄変動における停止図柄確定の時点で特別遊技状態を終了させる。【選択図】図７
2018075249.tif 000002
【特許請求の範囲】
【請求項１】
遊技球が入球可能な第１状態と該第１状態よりも入球困難又は入球不可能な第２状態とに変化可能な可変始動手段と、
普通図柄始動手段が遊技球を検出することに基づいて普通図柄を変動表示可能な普通図柄表示手段と、
前記普通図柄表示手段による変動後の停止図柄が所定態様となった場合に、前記可変始動手段が前記第１状態に変化する普通利益状態を発生させる普通利益状態発生手段と、
前記可変始動手段への遊技球の入球に基づいて特別図柄を変動表示可能な特別図柄表示手段と、
前記特別図柄表示手段による変動後の停止図柄が第１特定態様となった場合に第１利益状態を発生させる第１利益状態発生手段と、
前記第１利益状態の終了後に所定の確率で特別遊技状態を開始させると共に一又は複数の特別遊技状態終了条件の何れかが満たされた場合に前記特別遊技状態を終了させる特別遊技状態発生手段とを備え、
前記特別遊技状態中は、それ以外の遊技状態中に比べて、前記普通利益状態で前記可変始動手段が前記第１状態となる時間が長くなり、
特別保留期間中に前記可変始動手段に遊技球が入球した場合には、上限保留個数を限度として前記特別図柄表示手段による図柄変動を保留すると共に、前記特別保留期間が終了する毎に前記保留された図柄変動を消化し、
前記特別遊技状態終了条件は、前記特別図柄表示手段による図柄変動毎に増加する所定回数値が所定上限回数に達することを内容とする特定終了条件を含み、
前記特別保留期間は、前記第１利益状態中と、前記特別図柄表示手段による前記特別図柄の変動開始から停止図柄確定までの特別図柄変動期間と、前記停止図柄確定から所定時間経過するまでの特別図柄確定期間とを含む
遊技機において、
前記特別図柄表示手段による図柄変動によって前記特定終了条件が満たされる場合には、その図柄変動における前記停止図柄確定の時点で前記特別遊技状態を終了させる
ことを特徴とする遊技機。
【請求項２】
前記特別図柄確定期間の長さを、前記特別遊技状態中における前記普通利益状態の開始から終了までの時間以上とする
ことを特徴とする請求項１に記載の遊技機。
【請求項３】
遊技球が入球可能な開状態と該開状態よりも入球困難又は入球不可能な閉状態とに変化可能に構成され且つ入球した遊技球を特定領域とそれ以外の領域とに振り分ける特定入球手段と、
前記特別図柄表示手段による変動後の停止図柄が第２特定態様となった場合に、前記特定入球手段が所定時間前記開状態となる第２利益状態を発生させる第２利益状態発生手段と、
前記特定入球手段に入球した遊技球が前記特定領域に案内された場合に第３利益状態を発生させる第３利益状態発生手段とを備え、
前記第１利益状態の終了後の他、前記第３利益状態の終了後にも前記特別遊技状態を開始可能に構成した
ことを特徴とする請求項１又は２に記載の遊技機。
【発明の詳細な説明】
【技術分野】
【０００１】
本発明は、パチンコ機、アレンジボール機等の遊技機に関するものである。
【背景技術】
【０００２】
パチンコ機等の遊技機では、普通図柄が所定態様となった場合に、可変始動手段を遊技球が入球可能な第１状態に変化させる普通利益状態を発生させ、その可変始動手段への遊技球の入球に基づいて特別図柄を変動表示させると共にその変動後の停止図柄が特定態様となった場合に特別利益状態を発生させ、その特別利益状態の終了後に所定の確率で特別利益状態を発生させて、その特別遊技状態中は普通利益状態において可変始動手段が第１状態となる時間を通常よりも延長するように構成したものが多い（例えば特許文献１）。
この種の遊技機では、特別遊技状態の開始後、次の特別利益状態が発生したときにその特別遊技状態を終了するが、それまでに特別図柄表示手段等による図柄変動回数が所定上限回数に達した場合にはその時点で特別遊技状態を終了する場合もある。
【先行技術文献】
【特許文献】
【０００３】
【特許文献１】特開２０１４−２１３１２１号公報
【発明の概要】
【発明が解決しようとする課題】
【０００４】
図柄変動回数が所定上限回数に達した場合に特別遊技状態を終了する遊技機の場合、従来は、特別遊技状態終了前の最終の図柄変動において停止図柄が確定した後、図柄確定期間が経過した時点で特別遊技状態を終了するように構成されていたため、例えば特別遊技状態終了直前の図柄確定期間中に普通図柄が所定態様となって普通利益状態（可変始動手段の延長開放）が発生した場合、その普通利益状態の大部分が、特別遊技状態終了後の新たな特別図柄の変動開始後にかかってしまい、特別遊技状態の終了により減り始めた特別図柄の保留が再び増加してしまうという問題があった。
本発明は上記事情に鑑みてなされたものであり、特別遊技状態の終了によって減り始めた特別図柄の保留がその直後に再び増加する可能性を極力小さくすることが可能な遊技機を提供することを目的とする。
【課題を解決するための手段】
【０００５】
本発明は、遊技球が入球可能な第１状態と該第１状態よりも入球困難又は入球不可能な第２状態とに変化可能な可変始動手段２１と、普通図柄始動手段１９が遊技球を検出することに基づいて普通図柄を変動表示可能な普通図柄表示手段３５と、前記普通図柄表示手段３５による変動後の停止図柄が所定態様となった場合に、前記可変始動手段２１が前記第１状態に変化する普通利益状態を発生させる普通利益状態発生手段６５と、前記可変始動手段２１への遊技球の入球に基づいて特別図柄を変動表示可能な特別図柄表示手段３８と、前記特別図柄表示手段３８による変動後の停止図柄が第１特定態様となった場合に第１利益状態を発生させる第１利益状態発生手段７６と、前記第１利益状態の終了後に所定の確率で特別遊技状態を開始させると共に一又は複数の特別遊技状態終了条件の何れかが満たされた場合に前記特別遊技状態を終了させる特別遊技状態発生手段７７とを備え、前記特別遊技状態中は、それ以外の遊技状態中に比べて、前記普通利益状態で前記可変始動手段２１が前記第１状態となる時間が長くなり、特別保留期間中に前記可変始動手段２１に遊技球が入球した場合には、上限保留個数を限度として前記特別図柄表示手段３８による図柄変動を保留すると共に、前記特別保留期間が終了する毎に前記保留された図柄変動を消化し、前記特別遊技状態終了条件は、前記特別図柄表示手段３８による図柄変動毎に増加する所定回数値が所定上限回数に達することを内容とする特定終了条件を含み、前記特別保留期間は、前記第１利益状態中と、前記特別図柄表示手段３８による前記特別図柄の変動開始から停止図柄確定までの特別図柄変動期間と、前記停止図柄確定から所定時間経過するまでの特別図柄確定期間とを含む遊技機において、前記特別図柄表示手段３８による図柄変動によって前記特定終了条件が満たされる場合には、その図柄変動における前記停止図柄確定の時点で前記特別遊技状態を終了させるものである。
また、前記特別図柄確定期間の長さを、前記特別遊技状態中における前記普通利益状態の開始から終了までの時間以上としてもよい。
また、遊技球が入球可能な開状態と該開状態よりも入球困難又は入球不可能な閉状態とに変化可能に構成され且つ入球した遊技球を特定領域４４ａとそれ以外の領域４４ｂとに振り分ける特定入球手段２２と、前記特別図柄表示手段３８による変動後の停止図柄が第２特定態様となった場合に、前記特定入球手段２２が所定時間前記開状態となる第２利益状態を発生させる第２利益状態発生手段７５と、前記特定入球手段２２に入球した遊技球が前記特定領域４４ａに案内された場合に第３利益状態を発生させる第３利益状態発生手段７６とを備え、前記第１利益状態の終了後の他、前記第３利益状態の終了後にも前記特別遊技状態を開始可能に構成してもよい。
【発明の効果】
【０００６】
本発明によれば、特別遊技状態の終了によって減り始めた特別図柄の保留がその直後に再び増加する可能性を極力小さくすることができる。
【図面の簡単な説明】
【０００７】
【図１】本発明の第１の実施形態に係るパチンコ機の全体斜視図である。
【図２】同パチンコ機の遊技盤の正面図である。
【図３】同パチンコ機の制御系のブロック図である。
【図４】同パチンコ機の第１特別図柄における大当たり態様，小当たり態様の種類毎の選択率、大当たり開放パターン及び特別遊技状態終了条件の設定例を示す図である。
【図５】同パチンコ機の第２特別図柄における大当たり態様，小当たり態様の種類毎の選択率、大当たり開放パターン及び特別遊技状態終了条件の設定例を示す図である。
【図６】同パチンコ機の小当たり開放パターン毎の開閉手段と振り分け手段との動作パターンを示す図である。
【図７】第２特別図柄の変動と開放延長状態の終了タイミング及び普通利益状態の関係を示す図であり、（ａ）は本パチンコ機の場合を、（ｂ）は従来のパチンコ機の場合を夫々示している。
【発明を実施するための最良の形態】
【０００８】
以下、本発明の実施形態を図面に基づいて詳述する。図１〜図７は本発明をいわゆる１種２種混合タイプのパチンコ機に採用した一実施形態を例示している。図１において、遊技機本体１は、正面視矩形状の外枠２と、この外枠２の前側に左右一側、例えば左側のヒンジ３により開閉自在に枢着された前枠４とを備えている。前枠４の前側には、ガラス扉５と前面板６とが上下に隣接するように配置され、夫々ヒンジ３と同じ側のヒンジ７により前枠４に開閉自在に枢支されている。もちろん、ガラス扉５と前面板６とを一つの扉体として一体に開閉可能としてもよい。
【０００９】
前面板６の前側には、払い出し手段（図示省略）から払い出された遊技球を貯留して発射手段（図示省略）に供給する上皿８が上部側に配置され、またその上皿８の下側には、例えば上皿８が満杯のときにその余剰球を貯留する下皿９が左端側に、発射手段を作動させるための発射ハンドル１０が右端側に夫々配置されている。更に、上皿８等を前側から覆う上皿カバー１１上には、演出用の操作ボタン１２，１３、球貸し操作部１４等が配置されている。
【００１０】
前枠４には、ガラス扉５の後側に対応して遊技盤１５（図２）が例えば前側から着脱自在に装着されている。遊技盤１５の前面側には、発射手段から発射された遊技球を案内するガイドレール１６が環状に装着されると共に、そのガイドレール１６の内側の遊技領域１７に、中央表示ユニット１８、普通図柄始動手段１９、第１特別図柄始動手段２０、第２特別図柄始動手段２１、第１大入賞手段２２、第２大入賞手段２３、普通入賞手段２４等の各種遊技部品が配置されている。
【００１１】
中央表示ユニット１８は、例えば遊技領域１７の左右方向略中央における上部側に配置されており、遊技盤１５の裏側に固定される液晶式その他の画像表示手段２５に対応して遊技盤１５の前側に着脱自在に固定されている。画像表示手段２５は、第１演出図柄表示手段２６、第２演出図柄表示手段２７、第１特別保留個数表示手段２８、第２特別保留個数表示手段２９等を構成している。
【００１２】
中央表示ユニット１８は、遊技盤１５の前面側に当接し且つ固定ねじ等により遊技盤１５に固定される前面装着板３２と、画像表示手段２５等に対応する内部領域１８ａを略取り囲むように例えば前面装着板３２の前側に突設される表示枠３３とを例えば一体に備えており、発射手段により遊技領域１７の上部側に打ち込まれた遊技球は、表示枠３３の頂部で左右に振り分けられ、中央表示ユニット１８の左側の左流下経路３４ａと右側の右流下経路３４ｂとの何れかを流下するようになっている。
【００１３】
また、例えば表示枠３３上には、普通図柄表示手段３５、普通保留個数表示手段３６、第１特別図柄表示手段３７、第２特別図柄表示手段３８等の表示手段の他、例えば左側部には遊技球が入球可能なワープ入口３９が、画像表示手段２５の下部前側には、例えば左流下経路３４ａからワープ入口３９に流入した遊技球を左右方向に自由に転動させて左右方向中央の中央落下部４０又はその左右から落下させるステージ４１が夫々設けられている。
【００１４】
普通図柄始動手段１９は、普通図柄表示手段３５による図柄変動を開始させるためのもので、遊技球が通過可能な通過ゲートにより構成され、遊技球の通過を検出する遊技球検出手段１９ａを備えている。この普通図柄始動手段１９は、中央表示ユニット１８に対して例えば右下部に配置されており、左流下経路３４ａを流下してきた遊技球よりも右流下経路３４ｂを流下してきた遊技球の方が高い確率で通過可能となっている。
【００１５】
普通図柄表示手段３５は、普通図柄を変動表示するためのもので、複数個の普通図柄（例えば「○」「×」の２種類）に対応する複数個の発光体（例えばＬＥＤ）を備え、普通図柄始動手段１９が遊技球を検出すること、即ち遊技球が普通図柄始動手段１９を通過し、遊技球検出手段１９ａがその遊技球を検出することに基づいてそれら複数の発光体が所定順序で発光するように点滅して、普通図柄始動手段１９による遊技球検出時に取得された普通乱数情報に含まれる当たり判定乱数値が予め定められた当たり判定値と一致する場合には当たり態様（所定態様）に対応する例えば「○」側の発光体が点灯し、それ以外の場合には外れ態様に対応する例えば「×」側の発光体が点灯して停止する。普通図柄表示手段３５の変動後の停止図柄が当たり態様となった場合には後述する普通利益状態が発生する。
【００１６】
また、普通図柄表示手段３５の図柄変動中と普通利益状態中とを含む普通保留期間中に普通図柄始動手段１９が遊技球を検出した場合には、それによって取得された普通乱数情報が予め定められた上限保留個数、例えば４個を限度として保留記憶され、普通保留期間が終了する毎に１個ずつ消化されて普通図柄の変動が行われる。普通乱数情報の記憶個数（普通保留個数）は普通保留個数表示手段３６等によって遊技者に報知される。
【００１７】
第１特別図柄始動手段２０は、第１特別図柄表示手段３７による図柄変動を開始させるためのもので、開閉手段を有しない非開閉式入賞手段により構成され、入賞した遊技球を検出する遊技球検出手段２０ａを備えている。この第１特別図柄始動手段２０は、例えば中央表示ユニット１８の中央落下部４０の下側に上向き開口状に配置されており、左流下経路３４ａ側のワープ入口３９からステージ４１を経て入賞するルートが存在すること等により、右流下経路３４ｂを流下してきた遊技球よりも左流下経路３４ａを流下してきた遊技球の方が高い確率で入賞可能となっている。
【００１８】
第２特別図柄始動手段（可変始動手段）２１は、第２特別図柄表示手段３８による図柄変動を開始させるためのもので、開閉手段４２の作動によって遊技球が入賞可能な開状態（第１状態）と入賞不可能（又は開状態よりも入賞困難）な閉状態（第２状態）とに変化可能な開閉式入賞手段により構成され、入賞した遊技球を検出する遊技球検出手段２１ａを備えており、普通図柄表示手段３５の変動後の停止図柄が当たり態様（所定態様）となって普通利益状態が発生したときに、開閉手段４２が所定時間閉状態から開状態に変化するようになっている。この第２特別図柄始動手段２１は、例えば第１特別図柄始動手段２０の下側に配置されており、釘配置等により、左流下経路３４ａを流下してきた遊技球よりも右流下経路３４ｂを流下してきた遊技球の方が高い確率で入賞可能となっている。
【００１９】
第１特別図柄表示手段３７は、１個又は複数個、例えば１個の第１特別図柄を変動表示可能な７セグメント式等の表示手段により構成されており、第１特別図柄始動手段２０が遊技球を検出すること、即ち遊技球が第１特別図柄始動手段２０に入賞し、遊技球検出手段２０ａがその遊技球を検出することを条件に第１特別図柄を所定時間変動表示して、第１特別図柄始動手段２０への入賞時に取得された第１特別乱数情報に含まれる大当たり判定乱数値が予め定められた大当たり判定値と一致する場合には大当たり態様で、小当たり判定値と一致する場合には小当たり態様で、それ以外の場合には外れ態様で夫々停止するようになっている。第１特別図柄表示手段３７の変動後の停止図柄が大当たり態様となった場合には大当たり状態が発生し、小当たり状態となった場合には小当たり状態が発生する。
【００２０】
なお本実施形態では、第１特別図柄表示手段３７に関しては大当たり態様として図４（ａ）に示すＡ１〜Ａ３の３種類を、小当たり態様として図４（ｂ）に示すａ１の１種類を夫々設けており、大当たり判定乱数値が大当たり判定値と一致した場合（例えば大当たり確率１／２５９）には、例えば大当たり判定乱数値と共に取得された大当たり図柄乱数値に基づいて大当たり態様Ａ１〜Ａ３のうちの何れかが図４（ａ）に示す選択率で選択され、大当たり判定乱数値が小当たり判定値と一致した場合（例えば小当たり確率１／２９．９７）には１００％の確率で小当たり態様ａ１が選択されるようになっている。
【００２１】
また、第１特別図柄表示手段３７の図柄変動中、第２特別図柄表示手段３８の図柄変動中、後述する小当たり状態中及び後述する大当たり状態中を含む特別保留期間中に第１特別図柄始動手段２０が遊技球を検出した場合には、それによって取得された第１特別乱数情報が予め定められた上限保留個数、例えば４個を限度として保留記憶され、特別保留期間が終了し且つその時点で第２特別図柄側の保留記憶がない場合に１個ずつ消化されて第１特別図柄の変動が行われる。このように本実施形態では、第１特別図柄側と第２特別図柄側とに共に保留記憶がある場合には、第２特別図柄の変動が優先的に行われるようになっている。なお、第１特別乱数情報の記憶個数（第１特別保留個数）は、第１特別保留個数表示手段２８等によって遊技者に報知される。
【００２２】
第２特別図柄表示手段（特別図柄表示手段）３８は、１個又は複数個、例えば１個の第２特別図柄（特別図柄）を変動表示可能な７セグメント式等の表示手段により構成されており、第２特別図柄始動手段（可変始動手段）２１が遊技球を検出すること、即ち遊技球が第２特別図柄始動手段２１に入賞し、遊技球検出手段２１ａがその遊技球を検出することを条件に第２特別図柄を所定時間変動表示して、第２特別図柄始動手段２１への入賞時に取得された第２特別乱数情報に含まれる大当たり判定乱数値が予め定められた大当たり判定値と一致する場合には大当たり態様（第１特定態様）で、小当たり判定値と一致する場合には小当たり態様（第２特定態様）で、それ以外の場合には外れ態様で夫々停止するようになっている。第２特別図柄表示手段３８の変動後の停止図柄が大当たり態様（第１特定態様）となった場合には大当たり状態（第１利益状態）が発生し、小当たり状態（第２特定態様）となった場合には小当たり状態（第２利益状態）が発生する。
【００２３】
なお本実施形態では、第２特別図柄表示手段３８に関しては大当たり態様として図５（ａ）に示すＢ１の１種類を、小当たり態様として図５（ｂ）に示すｂ１〜ｂ３の３種類を夫々設けており、大当たり判定乱数値が大当たり判定値と一致した場合（例えば大当たり確率１／２５９）には１００％の確率で大当たり態様Ｂ１が選択され、大当たり判定乱数値が小当たり判定値と一致した場合（例えば小当たり確率１／１．５６）には、例えば大当たり判定乱数値と共に取得された大当たり図柄乱数値に基づいて小当たり態様ｂ１〜ｂ３のうちの何れかが図５（ｂ）に示す選択率で選択されるようになっている。なお、第２特別図柄表示手段３８に関しては、停止図柄が例えば大当たり態様と小当たり態様との何れかとなり、外れ態様にはならないように構成してもよい。
【００２４】
また、第１特別図柄表示手段３７の図柄変動中、第２特別図柄表示手段３８の図柄変動中、後述する小当たり状態中及び後述する大当たり状態中を含む特別保留期間中に第２特別図柄始動手段２１が遊技球を検出した場合には、それによって取得された第２特別乱数情報が予め定められた上限保留個数を限度として保留記憶され、特別保留期間が終了した場合に１個ずつ消化されて第２特別図柄の変動が行われる。ここで、本実施形態では第２特別図柄の保留個数については上限を１個に設定している。なお、第２特別乱数情報の記憶個数（第２特別保留個数）は、第２特別保留個数表示手段２９等によって遊技者に報知される。
【００２５】
本実施形態の場合、遊技者は後述する特別遊技状態中以外の通常遊技状態中は第１特別図柄始動手段２０を狙って左打ちをし、特別遊技状態中は普通図柄始動手段１９及び第２特別図柄始動手段２１を狙って右打ちをするため、通常遊技状態中は主として第１特別図柄が変動し、特別遊技状態中は主として第２特別図柄が変動する。
【００２６】
なお、第１，第２特別図柄には数字図柄等を用いてもよいし、遊技者が停止図柄態様の種類を容易に区別できないように、任意の線や点の組み合わせのような特別な意味を持たない図柄を用いてもよい。
【００２７】
第１，第２演出図柄表示手段２６，２７は、第１，第２特別図柄表示手段３７，３８の図柄変動を演出するもので、それぞれ１個又は複数個、例えば左右方向に３個の第１，第２演出図柄を例えば各種の演出画像と共に画像表示手段２５の表示画面２５ａに変動表示可能に構成されており、例えば第１，第２特別図柄表示手段３７，３８による第１，第２特別図柄の変動と時間的に同調して第１，第２演出図柄を変動させるようになっている。なお、第１，第２演出図柄表示手段２６，２７は第１，第２特別図柄の変動と同調することなく第１，第２演出図柄を独自に変動させ又はその他の演出画像を表示させる場合があってもよい。
【００２８】
第１，第２演出図柄には、例えば「０」〜「９」の１０種類の数字図柄が用いられ、「６・６・６」、「７・７・７」等、３つの図柄が全て同じ図柄で揃ったものが大当たり演出態様、例えば少なくとも１つの図柄が異なるものが小当たり演出態様又は外れ演出態様となっている。そして、例えば第１，第２特別図柄の停止図柄が大当たり態様、小当たり態様、外れ態様のときは第１，第２演出図柄もそれに対応して大当たり演出態様、小当たり演出態様、外れ演出態様で停止する。
【００２９】
第１，第２特別保留個数表示手段２８，２９は、第１，第２特別保留個数を報知するもので、画像表示手段２５の表示画面２５ａ上の所定箇所、例えば下部側に、第１，第２保留個数分の第１，第２保留表示画像２８ａ，２９ａを表示するようになっている。
【００３０】
第１大入賞手段（特定入球手段）２２は、開閉手段４３の作動によって遊技球が入賞可能な開状態と入賞不可能な閉状態とに変化可能な開閉式入賞手段により構成されており、第１，第２特別図柄表示手段３７，３８の変動後の停止図柄が小当たり態様（第２特定態様）となって小当たり状態（第２利益状態）が発生したときに、開閉手段４３が一又は複数種類の小当たり開放パターンの何れかに従って開放するようになっている。
【００３１】
第１大入賞手段２２は、例えば右流下経路３４ｂ側で且つ普通図柄始動手段１９の下流側に配置されており、左流下経路３４ａを流下してきた遊技球よりも右流下経路３４ｂを流下してきた遊技球の方が高い確率で入賞可能となっている。
【００３２】
第１大入賞手段２２の開閉手段４３は、例えば遊技領域１７の中央側（左側）が低い傾斜状に配置された板状体で、前後方向にスライド移動可能となっており、閉状態のときには遊技盤１５の盤面よりも前側に突出して、上向き開口状の入賞口を閉鎖すると共にその上側に落下してきた遊技球を遊技領域１７の中央側（ここでは左側）に向けて案内し、開状態のときには後側に退避して入賞口を開放するようになっている。
【００３３】
また第１大入賞手段２２は、例えば一つの特定領域４４ａと、例えば一つの通常領域４４ｂと、第１大入賞手段２２に入賞した遊技球を特定領域４４ａと通常領域４４ｂとに振り分ける例えば可動式の振り分け手段４５と、特定領域４４ａに流入した遊技球を検出する特定遊技球検出手段４６ａと、通常領域４４ｂに流入した遊技球を検出する通常遊技球検出手段４６ｂとを備えている。第１大入賞手段２２に入賞した遊技球は、振り分け手段４５によって特定領域４４ａと通常領域４４ｂとの何れかに案内され、特定遊技球検出手段４６ａと通常遊技球検出手段４６ｂとの何れかによって検出された後、遊技盤１５の裏側に案内される。第１大入賞手段２２に入賞した遊技球が特定領域４４ａ側に案内されて特定遊技球検出手段４６ａがその遊技球を検出した場合（以下、Ｖ入賞という）には大当たり状態（第３利益状態）が発生する。
【００３４】
特定領域４４ａと通常領域４４ｂとは例えば左右に隣接して配置されている。振り分け手段４５は、例えば特定領域４４ａと通常領域４４ｂとの間に対応してその上側に配置された爪状部材で、図示しない駆動手段の駆動により例えば前後方向の回転軸廻りに所定のパターンで揺動することにより、通常領域４４ｂ側への流入を阻止しつつ特定領域４４ａ側へ遊技球を案内する特定案内状態と、特定領域４４ａ側への流入を阻止しつつ通常領域４４ｂ側へ遊技球を案内する通常案内状態とに切り換え可能となっている。
【００３５】
本実施形態の小当たり開放パターンは、例えばα、βの２種類設けられており、第１特別図柄表示手段３７が小当たり態様ａ１となった場合の小当たり状態では、図４（ｂ）に示すように小当たり開放パターンαが、第２特別図柄表示手段３８が小当たり態様ｂ１〜ｂ３となった場合の小当たり状態では、図５（ｂ）に示すように小当たり開放パターンβが夫々用いられるようになっている。
【００３６】
図６は、小当たり開放パターンα，βにおける、開閉手段４３及び振り分け手段４５の動作を示したものである。図６（ａ）に示す小当たり開放パターンαでは、開閉手段４３が１回開放し、その開放時間は例えば１．５秒となっている。また、振り分け手段４５は、開閉手段４３の開放と同時に特定案内状態に変化した後、例えば０．０８秒後に通常案内状態に変化するようになっている。ここで、第１大入賞手段２２に入球した遊技球が振り分け手段４５に達するまでの平均時間をＳ秒とすると、本実施形態では０．０８秒＜Ｓ＜２．５秒となっているものとする。従って小当たり開放パターンαの場合、開閉手段４３が開状態のときに遊技球が入賞しても、その遊技球が振り分け手段４５に達したときには必ず通常案内状態であるため、遊技球が特定領域４４ａ側に案内される可能性は限りなく０に近い。
【００３７】
一方、図６（ｂ）に示す小当たり開放パターンβでは、開閉手段４３が例えば計１０回開放し、その１回の開放時間は例えば０．０８秒となっている。また、開閉手段４３の１回目の開放と２回目の開放との間には３．９２秒のインターバルが、２〜１０回の各開放の間には夫々１．０４秒のインターバルが夫々設けられている。また振り分け手段４５は、開閉手段４３の１回目の開放と同時に特定案内状態となった後、０．０８秒後に開閉手段４３の閉鎖と同時に通常案内状態に変化する。そして、開閉手段４３の２回目の開放が開始されると同時に再び特定案内状態となり、開閉手段４３の最後の開放が終了してから所定の排出確認時間（ここでは２．５秒）経過後に通常案内状態に変化するようになっている。
【００３８】
ここで、上述したように本実施形態では０．０８秒＜Ｓ＜２．５秒となっているため、小当たり開放パターンβの場合、開閉手段４３の１回目の開放時に入球した遊技球は特定領域４４ａ側に案内されることはないが、２〜１０回目の開放時に入球した遊技球は確実に特定領域４４ａ側に案内される。しかも上述したように、開閉手段４３は、左右方向の緩やかな傾斜状に配置された板状体で、前後方向にスライド移動可能となっており、閉状態のときには遊技盤１５の盤面よりも前側に突出してその上側に落下してきた遊技球を遊技領域１７の中央側に向けて案内し、開状態のときには遊技領域１７から後側に退避して第１大入賞手段２２を開放するようになっているため、開閉手段４３の２〜１０回目の開放（連続開閉動作）の際には、そのインターバル（閉状態）中に開閉手段４３上に落下した遊技球についてもその多くを第１大入賞手段２２に入賞させることができる。従って、第２特別図柄始動手段２１の実際の開放時間（開状態となっている時間の合計）を所定上限時間（例えば１．８秒）内に収めつつ、実質的な開放時間（２回目の開放開始から１０回目の開放終了まで）を十分に長くすることができ、遊技者が右流下経路３４ｂ側を狙って右打ちをすることにより極めて高い確率で第１大入賞手段２２に入賞させることが可能である。
【００３９】
第２大入賞手段２３は、開閉手段４７の作動によって遊技球が入賞可能な開状態と入賞不可能な閉状態とに変化可能な開閉式入賞手段により構成されており、第１，第２特別図柄表示手段３７，３８の変動後の停止図柄が大当たり態様となるか、第１大入賞手段２２に入賞した遊技球が特定領域４４ａ側に案内されることにより大当たり状態（第１，第３利益状態）が発生したときに、開閉手段４７が一又は複数種類の大当たり開放パターンの何れかに従って開放するようになっている。
【００４０】
なお以下の説明では、第１，第２特別図柄表示手段３７，３８の変動後の停止図柄が大当たり態様となった場合に発生する大当たり状態と、第１大入賞手段２２に入賞した遊技球が特定領域４４ａ側に案内された場合に発生する大当たり状態とを区別する必要がある場合には、前者を図柄大当たり状態（第１利益状態）、後者をＶ入賞大当たり状態（第３利益状態）という。
【００４１】
第２大入賞手段２３の開閉手段４７は、例えば前向き開口状の入賞口に対応する横長矩形状の板状体で、下部側に設けられた左右方向の回転軸廻りに揺動可能となっており、閉状態のときには遊技盤１５の盤面に沿って直立することにより入賞口を閉鎖し、開状態のときには上部側が遊技盤１５の盤面よりも前側に突出することにより後ろ下がりの傾斜状となってその上側に落下してきた遊技球を入賞口内に案内するようになっている。なお第２大入賞手段２３は、入賞した遊技球を検出する遊技球検出手段４８を備えている。
【００４２】
本実施形態の大当たり開放パターンは、第２大入賞手段２３を開放してから所定時間（例えば２８秒）経過するかそれまでに所定個数（例えば９個）の遊技球が入賞することを条件に閉鎖する動作を所定ラウンド数行うようになっており、そのラウンド数の違いによって例えば４Ｒ，１２Ｒ等の複数種類設けられている（図４，図５）。
【００４３】
なお複数種類の大当たり開放パターンのうちの少なくとも一つにおいて、上記のような通常ラウンドに加えて、遊技球の入賞がほとんど期待できない程度の短時間だけ開放する短時間ラウンドを一又は複数回行うように構成してもよい。この場合、通常ラウンド数と短時間ラウンド数との合計は同じでその配分が異なる複数種類の開放パターンを設けることで、仕様上は同じラウンド数であっても遊技者から見た実質的なラウンド数を異ならせることができる。例えば、通常ラウンド×２＋短時間ラウンド×１０に設定された１２Ｒ開放パターンと、通常ラウンド×１０＋短時間ラウンド×２に設定された１２Ｒ開放パターンと、通常ラウンド×１２に設定された１２Ｒ開放パターンとの３種類の開放パターンを設けた場合、実質的なラウンド数はそれぞれ２Ｒ，１０Ｒ，１２Ｒであるにも拘わらず仕様上のラウンド数は全て同じ１２Ｒとすることができる。なお、短時間ラウンドのみを一又は複数回行う大当たり開放パターンを設けてもよい。
【００４４】
また、大当たり状態（第１利益状態、第３利益状態）の終了後には、所定の確率で、特別遊技状態の一例としての開放延長状態が発生する。開放延長状態は、大当たり状態が終了したときに開始し、一又は複数の特別遊技状態終了条件の何れかが満たされたときに終了する。開放延長状態中は、普通利益状態における第２特別図柄始動手段２１の開放時間が通常開放時間（例えば０．２秒）から延長開放時間（例えば４秒）へ切り換えられる。
【００４５】
また本実施形態では、特別遊技状態終了条件として、次の大当たり状態の発生を内容とする基本終了条件の他に、第１，第２特別図柄の合計変動回数が所定数に達することを内容とする第１終了条件と、小当たり状態の発生回数が所定数に達することを内容とする第２終了条件と、第２特別図柄の変動回数が所定数に達することを内容とする第３終了条件とを設けている（図４，図５）。なお、第１終了条件と第３終了条件とが特定終了条件の一例である。
【００４６】
第１特別図柄が特別遊技状態中に大当たり態様となった場合には、図４（ａ）に示すようにその大当たり態様がＡ１〜Ａ３の何れであっても同一条件の特別遊技状態が発生し、その特別遊技状態の終了条件は、第１終了条件が１００、第２終了条件が５、第３終了条件が１となっている。即ち、第１特別図柄が特別遊技状態中に大当たり態様Ａ１〜Ａ３の何れかとなった場合に発生する特別遊技状態は、第１，第２特別図柄の合計変動回数が１００回に達するか、小当たり状態の発生回数が５回に達するか、第２特別図柄が１回変動した時点で終了する。従ってこの場合の特別遊技状態は、実際上は基本終了条件と第３終了条件との何れかが満たされることによって終了し、第１，第２終了条件が満たされることによって終了することはない。
【００４７】
また第１特別図柄が通常遊技状態中に大当たり態様となった場合には、図４（ａ）に示すようにその大当たり態様がＡ１，Ａ２の何れかの場合（選択率６５％）にのみ同一条件の特別遊技状態が発生し、その特別遊技状態の終了条件は、第１終了条件が１００、第２終了条件が５であり、第３終了条件は設定されていない。即ち、第１特別図柄が通常遊技状態中に大当たり態様Ａ１，Ａ２の何れかとなった場合に発生する特別遊技状態は、第１，第２特別図柄の合計変動回数が１００回に達するか、小当たり状態の発生回数が５回に達した時点で終了する。
【００４８】
また第２特別図柄が大当たり態様Ｂ１となった場合には、図５（ａ）に示すようにその時点の遊技状態に拘わらず特別遊技状態が発生し、その特別遊技状態の終了条件は、第１終了条件が１００、第２終了条件が５、第３終了条件が１となっている。即ち、第２特別図柄が大当たり態様Ｂ１となった場合に発生する特別遊技状態は、第１，第２特別図柄の合計変動回数が１００回に達するか、小当たり状態の発生回数が５回に達するか、第２特別図柄が１回変動した時点で終了する。
【００４９】
また、以上のような図柄大当たり状態の終了後だけでなく、Ｖ入賞大当たり状態の終了後にも特別遊技状態は発生し得る。図５（ｂ）に示すように、第２特別図柄に関するＶ入賞大当たり状態の終了後には、遊技状態に拘わらず特別遊技状態が発生し、その特別遊技状態の終了条件は、第１終了条件が１００、第２終了条件が５、第３終了条件が１となっている。即ち、第２特別図柄に関するＶ入賞大当たり状態の終了後に発生する特別遊技状態は、第１，第２特別図柄の合計変動回数が１００回に達するか、小当たり状態の発生回数が５回に達するか、第２特別図柄が１回変動した時点で終了する。
【００５０】
このように第２特別図柄に関する図柄大当たり状態、Ｖ入賞大当たり状態の終了後に発生する特別遊技状態は、実際上は基本終了条件と第３終了条件との何れかが満たされることによって終了し、第１，第２終了条件が満たされることによって終了することはない。
【００５１】
一方、上述したように第１特別図柄が小当たり態様となった場合に発生する小当たり開放パターンαでの小当たり状態では基本的にＶ入賞することはないため、Ｖ入賞大当たり状態は発生せず、従って特別遊技状態も発生しない（図４（ｂ））。
【００５２】
図３は本パチンコ機の制御系のブロック図である。図３において、５１は主制御基板、５２は演出制御基板で、これら各制御基板５１，５２は、遊技盤１５に装着された中央表示ユニット１８、その他の複数個の遊技部品を裏側から一括して覆う裏カバーの裏側等、前枠４及び遊技盤１５を含む遊技機本体１の裏側の適宜箇所に着脱自在に装着された基板ケースに夫々収納されている。
【００５３】
主制御基板５１は、遊技動作を統括的に制御するもので、ＣＰＵ，ＲＯＭ，ＲＡＭ等により構成される普通乱数作成処理手段６１、普通始動検出処理手段６２、普通乱数記憶手段６３、普通図柄処理手段６４、普通利益状態発生手段６５、第１，第２特別乱数作成処理手段７１ａ，７１ｂ、第１，第２特別始動検出処理手段７２ａ，７２ｂ、第１，第２特別乱数記憶手段７３ａ，７３ｂ、第１，第２特別図柄処理手段７４ａ，７４ｂ、小当たり状態発生手段７５、大当たり状態発生手段７６、特別遊技状態発生手段７７、制御コマンド送信手段７８等を備えている。
【００５４】
普通乱数作成処理手段６１は、普通図柄の変動後の停止図柄を当たり態様とするか否か（普通利益状態を発生させるか否か）の判定に用いる当たり判定乱数等を所定時間毎に繰り返し発生するように構成されている。普通始動検出処理手段６２は、普通図柄始動手段１９による遊技球の検出に基づく処理を行うもので、普通図柄始動手段１９が遊技球を検出することに基づいて、普通乱数作成処理手段６１で作成された当たり判定乱数値等の普通乱数情報を取得し、その普通乱数情報を予め定められた上限保留個数（例えば４個）を限度として先入れ先出し式の普通乱数記憶手段６３に記憶させるように構成されている。
【００５５】
普通図柄処理手段６４は、普通図柄の変動表示に関する処理を行うもので、普通図柄表示手段３５が変動表示可能な状態となり且つ普通乱数記憶手段６３に１個以上の普通乱数情報が記憶されていること（普通保留個数が１以上であること）を条件に、普通乱数記憶手段６３に記憶されている普通乱数情報の待ち行列の先頭から当たり判定乱数値を取り出し、その当たり判定乱数値が予め定められた当たり判定値と一致するか否かに応じて当たり／外れの判定を行うと共に普通図柄表示手段３５による普通図柄を所定時間変動させ、当たり判定の場合には当たり態様に対応する「○」で、外れ判定の場合には外れ態様に対応する「×」で普通図柄の変動を停止させるようになっている。
【００５６】
普通利益状態発生手段６５は、第２特別図柄始動手段（可変始動手段）２１が開状態（第１状態）に変化する普通利益状態を発生させるもので、普通図柄処理手段６４による判定結果が当たりとなることに基づいて普通図柄表示手段３５の変動後の停止図柄が当たり態様（所定態様）となった場合に、第２特別図柄始動手段２１の開閉手段４２を複数種類の開閉パターンの何れかに従って所定時間開状態に変化させる普通利益状態を発生させるようになっている。
【００５７】
第１，第２特別乱数作成処理手段７１ａ，７１ｂは、変動後の第１，第２特別図柄を大当たり態様、小当たり態様、外れ態様の何れにするかの判定に用いる大当たり判定乱数の他、変動後の特別図柄が大当たり態様、小当たり態様となる場合の停止図柄態様の選択に用いる大当たり図柄乱数、特別図柄の変動パターンの選択に用いる変動パターン選択乱数、その他の所定の乱数を繰り返し発生する特別乱数作成処理を行うように構成されている。
【００５８】
第１，第２特別始動検出処理手段７２ａ，７２ｂは、第１，第２特別図柄始動手段２０，２１による遊技球の検出（入賞）に基づく処理を行うもので、第１，第２特別図柄始動手段２０，２１が遊技球を検出することに基づいて、第１，第２特別乱数作成処理手段７１ａ，７１ｂで作成された大当たり判定乱数値、大当たり図柄乱数値等の第１，第２特別乱数情報を取得し、その第１，第２特別乱数情報を予め定められた上限保留個数（例えば各４個）を限度として先入れ先出し式の第１，第２特別乱数記憶手段７３ａ，７３ｂに記憶させるように構成されている。
【００５９】
第１，第２特別図柄処理手段７４ａ，７４ｂは、第１，第２特別図柄の変動表示に関する処理を行うもので、第１，第２特別図柄表示手段３７，３８が変動表示可能な状態となり且つ第１，第２特別乱数記憶手段７３ａ，７３ｂに１個以上の第１，第２特別乱数情報が記憶されていること（第１，第２特別保留個数が１以上であること）を条件に、第１，第２特別乱数記憶手段７３ａ，７３ｂに記憶されている第１，第２特別乱数情報の待ち行列の先頭から大当たり判定乱数値を取り出し、その大当たり判定乱数値が予め定められた大当たり判定値、小当たり判定値と一致するか否かに応じて大当たり／小当たり／外れの判定を行う大当たり判定機能、大当たり／小当たり／外れの判定結果と、第１，第２特別乱数記憶手段７３ａ，７３ｂに大当たり判定乱数値と共に記憶されている大当たり図柄乱数値等とに基づいて、第１，第２特別図柄の変動後の停止図柄を選択する特別停止図柄態様選択機能、大当たり／小当たり／外れの判定結果に基づいて、第１，第２演出図柄に対応する変動パターンとして複数種類の中から１つを選択する変動パターン選択機能、第１，第２特別図柄表示手段３７，３８による第１，第２特別図柄の変動を開始させ、選択された変動パターンに対応する変動時間が経過することに基づいて、選択された停止図柄態様で第１，第２特別図柄の変動を停止させる第１，第２特別図柄変動制御機能等を備えている。
【００６０】
本実施形態では、第１特別図柄表示手段３７に関する判定結果が大当たりとなった場合には、図４（ａ）に示すように３種類の大当たり態様Ａ１〜Ａ３がそれぞれ５０，１５，３５％の確率で選択され、第２特別図柄表示手段３８に関する判定結果が大当たりとなった場合には、図５（ａ）に示すように１種類の大当たり態様Ｂ１が選択され、第１特別図柄表示手段３７に関する判定結果が小当たりとなった場合には、図４（ｂ）に示すように１種類の小当たり態様ａ１が選択され、第２特別図柄表示手段３８に関する判定結果が小当たりとなった場合には、図５（ｂ）に示すように３種類の小当たり態様ｂ１〜ｂ３がそれぞれ５０，３９，１１％の確率で選択される。なお、第１特別図柄表示手段３７と第２特別図柄表示手段３８とで大当たり態様となる確率（大当たり確率）は同じ（例えば１／２５９）である。
【００６１】
また、第１特別図柄表示手段３７の図柄変動中、第２特別図柄表示手段３８の図柄変動中、小当たり状態中及び大当たり状態中を含む特別保留期間中には第１，第２特別図柄による新たな変動は開始せず、また特別保留期間が終了した時点で第１特別図柄側と第２特別図柄側とに共に保留記憶がある場合（第１，第２特別保留個数が共に１以上の場合）には、第２特別図柄の変動が優先的に行われる。
【００６２】
またその特別保留期間は、第１，第２特別図柄表示手段３７，３８による第１，第２特別図柄の変動開始から停止図柄確定までの特別図柄変動期間と、その停止図柄確定から所定時間経過するまでの特別図柄確定期間とを含んでいる。即ち、第１特別図柄又は第２特別図柄が所定の停止図柄態様で停止・確定した後、特別図柄確定期間が経過するまでは次の第１，第２特別図柄の変動は開始されない。
【００６３】
ここで、特別図柄確定期間は、開放延長状態中（特別遊技状態中）における普通利益状態の開始から終了までの時間以上の長さに設定されている。本実施形態では、開放延長状態中の普通利益状態における第２特別図柄始動手段２１の開閉パターンは、図７（ａ）に示すように開閉手段４２が例えば１００ｍｓのインターバル（閉状態）を挟んで２０００ｍｓの開放を２回行うように設定されている。即ち、開放延長状態中における普通利益状態の開始から終了までの時間は４１００ｍｓであり、特別図柄確定期間はその４１００ｍｓより長い５０００ｍｓに設定されている。
【００６４】
小当たり状態発生手段（第２利益状態発生手段）７５は小当たり状態（第２利益状態）を発生させるためのもので、第１，第２特別図柄処理手段７４ａ，７４ｂによる大当たり／小当たり／外れの判定結果が小当たりとなり、第１，第２特別図柄表示手段３７，３８による第１，第２特別図柄の変動後の停止図柄態様が小当たり態様（第２特定態様）となった場合に、第１大入賞手段（特定入球手段）２２を所定の小当たり開放パターンに従って開放する小当たり状態を発生させるようになっている。
【００６５】
本実施形態ではα，βの２種類の小当たり開放パターンが設けられており、図４（ｂ）に示すように第１特別図柄が小当たり態様となった場合には小当たり開放パターンαが選択され、図５（ｂ）に示すように第２特別図柄が小当たり態様となった場合には小当たり開放パターンβが選択される。
【００６６】
なお上述したように、小当たり開放パターンαの場合には、図６（ａ）に示すように遊技球が入賞しても特定領域４４ａ側に案内されることはないのに対し、小当たり開放パターンβの場合には、図６（ｂ）に示すように遊技球が入賞すればその遊技球は極めて高い確率で特定領域４４ａ側に案内され、しかも実質的な開放時間が非常に長いために多くの遊技球を容易に入賞させることができる。また、第２特別図柄は小当たり態様となる確率が例えば１／１．５６と比較的高いため、遊技者は特別遊技状態中に右打ちをして第２特別図柄始動手段２１に遊技球を入賞させ、第２特別図柄を変動させれば、高い確率で大当たり状態を発生させることが可能である。
【００６７】
大当たり状態発生手段（第１利益状態発生手段、第３利益状態発生手段）７６は大当たり状態（第１利益状態、第３利益状態）を発生させるためのもので、第１，第２特別図柄処理手段７４ａ，７４ｂによる大当たり／小当たり／外れの判定結果が大当たりとなることに基づいて第１，第２特別図柄表示手段３７，３８による第１，第２特別図柄の変動後の停止図柄態様が大当たり態様（第１特定態様）となるか、小当たり状態中に第１大入賞手段２２に入賞した遊技球が特定領域４４ａに案内された場合に、第２大入賞手段２３を所定の大当たり開放パターンに従って開放する大当たり状態を発生させるようになっている。
【００６８】
本実施形態の大当たり開放パターンは、第２大入賞手段２３を開放してから所定時間（例えば２８秒）経過するかそれまでに所定個数（例えば９個）の遊技球が入賞することを条件に閉鎖する動作を所定ラウンド数行うようになっており、そのラウンド数の違いによって４Ｒ，１２Ｒ等の複数種類設けられている。第１特別図柄の大当たり態様と大当たり開放パターンとの対応関係を図４（ａ）に、第２特別図柄の大当たり態様と大当たり開放パターンとの対応関係を図５（ａ）に、第２特別図柄の小当たり態様とその後のＶ入賞大当たり状態における大当たり開放パターンとの対応関係を図５（ｂ）に夫々示している。
【００６９】
特別遊技状態発生手段７７は、大当たり状態（第１利益状態，第３利益状態）の終了後に遊技者に有利な特別遊技状態を発生させるためのもので、大当たり状態が終了したときに所定の確率で特別遊技状態の一例としての開放延長状態を開始させると共に、一又は複数の特別遊技状態終了条件の何れかが満たされた場合に開放延長状態を終了させるようになっている。開放延長状態中は、普通利益状態における第２特別図柄始動手段２１の開放時間が通常開放時間（例えば０．２秒）から延長開放時間（例えば４秒）へ切り換えられる。
【００７０】
特別遊技状態終了条件は、次の大当たり状態の発生を内容とする基本的終了条件に加えて、第１，第２特別図柄の合計変動回数が所定数に達することを内容とする第１終了条件と、小当たり状態の発生回数が所定数に達することを内容とする第２終了条件と、第２特別図柄の変動回数が所定数に達することを内容とする第３終了条件が設けられており、大当たり態様の種類及び遊技状態に応じてそれら第１〜第３終了条件のうちの少なくとも一つが設定されている（図４，図５）。
【００７１】
ここで、開放延長状態中は第２特別図柄の変動において高い確率（例えば１／１．５６）で小当たり状態が発生するため、この小当たり状態を続けることによって出玉を増やすことができる場合には、開放延長状態の終盤まで敢えてＶ入賞を回避して出玉を増やし（いわゆるＶはずし）、開放延長状態の終了直前（例えば第１終了条件が満たされる直前）にＶ入賞させて大当たり状態による出玉も獲得することが、遊技者にとって最も有利であると考えることもできる。
【００７２】
しかしながら本実施形態の場合、第２特別図柄に関する図柄大当たり状態及びＶ入賞大当たり状態の終了後に発生する開放延長状態、及び開放延長状態中に第１特別図柄が大当たり態様となった場合に発生する開放延長状態については、第３終了条件が１に設定されており、第２特別図柄が１回変動した時点で開放延長状態が終了するため、遊技者がいわゆるＶはずしにより利益を得ることはできない。
【００７３】
また、通常遊技状態中に第１特別図柄が大当たり態様Ａ１，Ａ２となった場合（初回大当たり）に発生する特別遊技状態については、図４（ａ）に示すように第３終了条件は設定されていないが、第１終了条件が１００に、第２終了条件が５に夫々設定されている。即ちこの場合、第１，第２特別図柄が１００回変動するまでに小当たり状態が５回発生した時点で開放延長状態が終了するため、この場合も遊技者がいわゆるＶはずしにより利益を得ることはできない。なお、この場合の第２終了条件は４以下の値に設定してもよいが、第１特別保留個数の上限値である４よりも１多い５に設定することで、開放延長状態の開始時に第１特別図柄の保留が上限の４個残っており、しかもそれらが全て小当たりであったとしても、開放延長状態中に少なくとも１回は第２特別図柄による図柄変動を行うことが可能である。
【００７４】
また本実施形態では、図柄変動回数が所定数に達することを内容とする第１，第３終了条件の何れかが満たされることによって開放延長状態（特別遊技状態）が終了する場合、その開放延長状態の終了タイミングは、図７（ａ）に示すようにその開放延長状態における最終の図柄変動における停止図柄確定の時点（図７（ａ）のｔａ１）に設定されている。また本実施形態では、第１，第２特別図柄の停止図柄確定から次の第１，第２特別図柄の変動が可能になるまでの特別図柄確定期間の長さ（図７（ａ）のｔａ１からｔａ３まで）が、普通利益状態の開始から終了までの時間（ここでは４１００ｍｓ）よりも長い５０００ｍｓに設定されているため、開放延長状態中に普通図柄が当たり態様となった場合には、それによって発生する延長開放時間での普通利益状態は、開放延長状態終了後の最初の第１，第２特別図柄変動が開始するまでに必ず終了する（図７（ａ）のｔａ２）。従って、開放延長状態の終了後に例えば第２特別図柄が変動することにより減り始めた保留個数が、開放延長状態の終了前に発生した普通利益状態によって再び増加する可能性を排除できる。
【００７５】
なお従来のように、開放延長状態終了前の最終の図柄変動において停止図柄が確定した後、特別図柄確定期間が経過した時点（図７（ｂ）のｔｂ１）で開放延長状態を終了するように構成した場合、例えば開放延長状態終了前の特別図柄確定期間中に普通図柄が当たり態様となって延長開放時間での普通利益状態が発生すると、その普通利益状態が開放延長状態終了後の最初の図柄変動の開始後（図７（ｂ）のｔｂ１以降）も継続する可能性があり、開放延長状態終了後の最初の図柄変動の開始によって減り始めた保留個数が再び増加し得るという問題がある。
【００７６】
制御コマンド送信手段７８は、所定の制御コマンドを一方向通信により演出制御基板５２等のサブ制御基板側に送信して制御指令を与えるためのもので、第１，第２特別図柄処理手段７４ａ，７４ｂによる第１，第２特別図柄処理に基づいて、第１，第２特別図柄の変動開始時に、第１，第２特別保留個数の減少を指定する第１，第２保留減少コマンド、第１，第２演出図柄の変動パターンを指定する第１，第２変動パターン指定コマンド、第１，第２特別図柄の停止図柄態様を指定する第１，第２停止図柄態様指定コマンドをこの順序で演出制御基板５２側に送信し、第１，第２特別図柄の変動終了時に第１，第２演出図柄の変動停止を指示する第１，第２変動停止指定コマンドを演出制御基板５２側に送信する機能、第１，第２特別保留個数が増加したときに第１，第２特別保留個数の増加を指定する第１，第２保留増加コマンドを演出制御基板５２側に送信する機能、特別遊技状態発生手段７７による特別遊技状態の発生時及び終了時に特別遊技状態発生コマンド、特別遊技状態終了コマンド等を演出制御基板５２側に送信する機能等を備えている。
【００７７】
演出制御基板５２は、第１，第２演出図柄表示手段２６，２７、第１，第２特別保留個数表示手段２８，２９、音声出力手段８１、電飾手段８２等の各種演出手段を制御するためのもので、演出図柄制御手段８３、特別保留個数表示制御手段８４等を備えている。
【００７８】
演出図柄制御手段８３は、第１，第２演出図柄表示手段２６，２７の表示制御及びそれに伴う音声出力手段８１、電飾手段８２の制御を行うもので、主制御基板５１から第１，第２変動パターン指定コマンドを受信した場合に、指定された変動パターンに基づいて第１，第２演出図柄表示手段２６，２７による演出図柄の変動及びそれに伴う音声出力、電飾発光を開始させると共に、第１，第２変動停止指定コマンドを受信したときに、第１，第２停止図柄態様指定コマンドと第１，第２変動パターン指定コマンドとに基づいて選択された停止図柄態様で第１，第２演出図柄の変動を停止させ、またそれに伴う音声出力、電飾発光を停止させるようになっている。
【００７９】
特別保留個数表示制御手段８４は、第１，第２特別保留個数表示手段２８，２９の表示制御を行うもので、第１，第２特別図柄始動手段２０，２１により新たに遊技球が検出され、主制御基板５１から第１，第２保留増加コマンドを受信したときに、その第１，第２保留増加コマンドに基づいて、画像表示手段２５の表示画面２５ａ上の所定位置に第１，第２特別保留個数分の保留表示画像２８ａ，２９ａを表示し、例えば主制御基板５１から第１，第２保留減少コマンドを受信することに基づいて、表示中の保留表示画像２８ａ，２９ａの数を１個減少させて前側にシフトさせるようになっている。
【００８０】
続いて、本パチンコ機における遊技の流れを説明する。本パチンコ機では、特別遊技状態中（開放延長状態中）以外の通常遊技状態中は、普通図柄始動手段１９が遊技球を検出して普通図柄表示手段３５が変動し、普通図柄が当たり態様となって普通利益状態が発生しても、第２特別図柄の変動を開始させるための第２特別図柄始動手段２１の開放時間（通常開放時間）は僅か（例えば０．２秒）であるため、普通図柄始動手段１９及び第２特別図柄始動手段２１を狙って右打ちをしても第２特別図柄始動手段２１への入賞の可能性は極めて低い。一方、非作動式の入賞手段である第１特別図柄始動手段２０は入賞の難易度が遊技状態によって変動することがなく、通常遊技状態中であっても安定的な入賞が期待できる。従って、通常遊技状態中からいきなり右流下経路３４ｂ側の普通図柄始動手段１９及び第２特別図柄始動手段２１を狙って右打ちをするのではなく、第１段階としてまずは特別遊技状態を発生させるべく、左打ちをして左流下経路３４ａ側から第１特別図柄始動手段２０への入賞を狙うべきである。よって、通常遊技状態中には例えば画像表示手段２５に「←左を狙え」等の画像を表示する等、遊技者を左打ちに誘導するための左打ち誘導報知を行うことが望ましい。
【００８１】
遊技者が通常遊技状態中に左打ちをし、その遊技球が左流下経路３４ａから例えばワープ入口３９、ステージ４１を経て中央落下部４０から第１特別図柄始動手段２０に入賞するか、又はステージ４１等を経ることなく遊技釘等に案内されて第１特別図柄始動手段２０に入賞すると、その遊技球は遊技盤１５の裏側に案内される際に遊技球検出手段２０ａによって検出され、それによって所定個数の賞球が上皿８に払い出されると共に、第１特別図柄表示手段３７及び第１演出図柄表示手段２６による第１特別図柄及び第１演出図柄の変動が行われる。
【００８２】
その変動後に第１特別図柄が小当たり態様で停止した場合には小当たり状態が発生し、第１大入賞手段２２が小当たり開放パターンαで開放する（図４（ｂ））。しかしながら、この小当たり開放パターンαでの開放中（例えば１．５秒）に第１大入賞手段２２に遊技球が入賞しても、その遊技球が振り分け手段４５に達したときには振り分け手段４５は通常案内状態となっているため（図６（ａ））、その遊技球が特定領域４４ａに案内されることはなく、よって大当たり状態が発生することはない。従って、通常遊技状態中に第１特別図柄が小当たり態様となって小当たり状態が発生しても、遊技者を右打ちに誘導するための右打ち誘導報知は行わないことが望ましい。なおこの場合、小当たり状態の終了後には遊技者は引き続き左打ちを行う。
【００８３】
一方、第１特別図柄が大当たり態様で停止した場合には大当たり状態が発生し、大当たり態様の種類に応じて選択された４Ｒ，１２Ｒの何れかの大当たり開放パターン（図４（ａ））に従って第２大入賞手段２３が長時間開放する。従って、この場合には例えば画像表示手段２５に「右を狙え→」等の画像を表示する等、遊技者を右打ちに誘導するための右打ち誘導報知を行うことが望ましい。そして、遊技者が右打ちをして開放中の第２大入賞手段２３に遊技球が入賞すると、入賞１個あたり所定個数の賞球が上皿８に払い出されるため、遊技者は大量の賞球を容易に得ることができる。
【００８４】
その大当たり状態の終了後には、図４（ａ）に示すように開放延長状態が６５％の確率で発生する。大当たり状態の終了後に開放延長状態が発生しない場合（大当たり態様Ａ３の場合）には、例えば左打ち誘導報知が行われ、遊技者は再び左打ちを開始する。一方、大当たり状態の終了後に開放延長状態が発生すると、普通利益状態における第２特別図柄始動手段２１の開放時間が通常開放時間（例えば０．２秒）から延長開放時間（例えば４秒）へ切り換えられる。また、開放延長状態中は普通図柄が極めて高い確率で当たり態様となるため、遊技球が普通図柄始動手段１９を通過すれば、普通図柄の変動後に高い確率で第２特別図柄始動手段２１が長時間（例えば４秒間）開放する。従って、開放延長状態中は例えば右打ち誘導報知が行われ、遊技者は右打ちをすることにより遊技球を容易に第２特別図柄始動手段２１に入賞させることができる。
【００８５】
遊技球が第２特別図柄始動手段２１に入賞すると、その遊技球は遊技盤１５の裏側に案内される際に遊技球検出手段２１ａによって検出され、それによって所定個数の賞球が上皿８に払い出されると共に、第２特別図柄表示手段３８及び第２演出図柄表示手段２７による第２特別図柄及び第２演出図柄の変動が行われる。なお、開放延長状態の開始時点で第１特別保留個数が１以上の場合には、その後に遊技球が第２特別図柄始動手段２１に入賞して第２特別保留個数が１以上になるまでは第１特別図柄の保留が消化される。
【００８６】
第２特別図柄が小当たり態様で停止した場合には小当たり状態が発生し、第１大入賞手段２２が小当たり開放パターンβで開放する（図５（ｂ））。この小当たり開放パターンβは実質的な開放時間が非常に長く、しかもその開放中に第１大入賞手段２２に入賞した遊技球は略確実に特定領域４４ａに案内される（Ｖ入賞）ため、遊技者が右打ちを継続すれば略確実にＶ入賞大当たり状態を発生させることが可能である。Ｖ入賞大当たり状態では、小当たり態様の種類に応じて選択された大当たり開放パターン（図５（ｂ））に従って第２大入賞手段２３が長時間開放する。一方、第２特別図柄が大当たり態様で停止した場合も大当たり状態が発生し、例えば１２Ｒの大当たり開放パターン（図５（ａ））に従って第２大入賞手段２３が長時間開放する。開放延長状態中に大当たり状態が発生すると、基本終了条件が満たされることによりその開放延長状態は終了する。
【００８７】
なお、この通常遊技状態中に第１特別図柄が大当たり態様Ａ１，Ａ２となった場合（初回大当たり）に発生する開放延長状態については、基本終了条件の他、図４（ａ）に示すように第１終了条件が１００に、第２終了条件が５に夫々設定されている。即ちこの場合、第１，第２特別図柄が１００回変動するまでに小当たり状態が５回発生した時点で開放延長状態が終了する。このようにＶ入賞しなくても小当たり状態の発生回数が５回に達した時点で開放延長状態が終了するため、遊技者がいわゆるＶはずしにより利益を得ることはできない。また、第２終了条件を５に設定しているため、開放延長状態の開始時に第１特別保留個数が上限の４個残っており、しかもそれらが全て小当たりであったとしても、開放延長状態中に少なくとも１回は第２特別図柄による図柄変動を行うことが可能である。
【００８８】
第２特別図柄に関する図柄大当たり状態及びＶ入賞大当たり状態の終了後には、第３終了条件が１に設定された開放延長状態が発生する（図５（ａ），（ｂ））。即ちこの開放延長状態は、その開始後に第２特別図柄が１回変動した時点で終了する。その１回の第２特別図柄変動において小当たり態様又は大当たり態様となって図柄大当たり状態、Ｖ入賞大当たり状態が発生すれば、その終了後に再び同様の開放延長状態が発生する。一方、第２特別図柄の変動に関しては例えば１個を上限として保留記憶されるため、第２特別図柄が外れ態様となって開放延長状態が終了しても、保留が残っていれば次の１回は第２特別図柄を変動させることができ、その第２特別図柄変動において小当たり態様又は大当たり態様となって図柄大当たり状態、Ｖ入賞大当たり状態が発生すれば、その終了後に再び開放延長状態を発生させることができる。なお、第２特別図柄の保留上限数は２以上の値に設定してもよい。
【００８９】
また、第２特別図柄が１回変動することを内容とする第３終了条件が満たされる場合、図７（ａ）に示すようにその１回の第２特別図柄変動において停止図柄が確定した時点（図７（ａ）のｔａ１）で開放延長状態は終了する。しかも、特別図柄確定期間の長さ（図７（ａ）のｔａ１からｔａ３まで）は、普通利益状態の開始から終了までの時間（ここでは４１００ｍｓ）よりも長い５０００ｍｓに設定されている。従って、開放延長状態中に普通図柄が当たり態様となっても、それによって発生する延長開放時間での普通利益状態は、開放延長状態終了後の最初の第２特別図柄変動が開始するまでに必ず終了する（図７（ａ）のｔａ２）。従って、開放延長状態の終了後に第２特別図柄が変動することにより減少した保留個数が、開放延長状態の終了前に発生した普通利益状態によって再び増加することはない。
【００９０】
以上、本発明の実施形態について詳述したが、本発明はこれらの実施形態に限定されるものではなく、本発明の趣旨を逸脱しない範囲で種々の変更が可能である。例えば、実施形態では特別図柄確定時間の長さ（例えば５０００ｍｓ）を、特別遊技状態中における普通利益状態の開始から終了までの時間（例えば４１００ｍｓ）よりも長く設定した例を示したが、特別図柄確定時間の長さと特別遊技状態中における普通利益状態の開始から終了までの時間とを同じにしてもよい。またこのように、特別図柄確定時間の長さは特別遊技状態中における普通利益状態の開始から終了までの時間以上とすることが望ましいが、そのように設定しない場合でも、図柄変動における停止図柄確定の時点で特別遊技状態を終了するように構成することで、特別遊技状態の終了によって減り始めた特別図柄の保留がその直後に再び増加する可能性を小さくできる。
【００９１】
実施形態では、通常遊技状態中に第１特別図柄が大当たり態様となった場合に発生する特別遊技状態については、その終了条件として、小当たり状態の発生回数が所定数に達することを内容とする第２終了条件を設け、その第２終了条件における所定数を、第１特別図柄の保留上限数である４よりも１多い５に設定した例を示したが、その所定数は第１特別図柄の保留上限数よりも２以上多い値に設定してもよい。
【００９２】
実施形態は本発明をいわゆる１種２種混合タイプのパチンコ機に採用した例を示したが、それ以外のパチンコ機においても、またアレンジボール機、雀球遊技機等の各種の遊技機においても同様に実施することが可能である。
【符号の説明】
【００９３】
１９    普通図柄始動手段
２１    第２特別図柄始動手段（可変始動手段）
２２    第１大入賞手段（特定入球手段）
３５    普通図柄表示手段
３８    第２特別図柄表示手段（特別図柄表示手段）
４４ａ  特定領域
４４ｂ  通常領域
６５    普通利益状態発生手段
７５    小当たり状態発生手段（第２利益状態発生手段）
７６    大当たり状態発生手段（第１利益状態発生手段、第３利益状態発生手段）
７７    特別遊技状態発生手段
【図１】
2018075249.tif 000003
【図２】
2018075249.tif 000004
【図３】
2018075249.tif 000005
【図４】
2018075249.tif 000006
【図５】
2018075249.tif 000007
【図６】
2018075249.tif 000008
【図７】
2018075249.tif 000009